(57)【要約】【課題】特殊ノズルを用いた急速気体充填装置１により窒素等の気体を超微細気泡として急速気体充填飽和処理により生成する気体充填飲料水や液体食品を提供することを目的とする。【解決手段】タンク部２と、水道水供給配管部９と、気体充填回路部１４と、気液混合液体の取り出し部４１と、取り出された気液混合液体４３を収容する液体収納容器本体４６と、制御部５５とから構成される急速気体充填装置１を用いて生成する窒素水である。【選択図】図１
2019072707.tif 000002
【特許請求の範囲】
【請求項１】
急速気体充填装置により気体を、液体に急速気体充填飽和処理により生成する超微細気泡含有液体。
【請求項２】
前記液体が水、超純水、液状食品、工場用水の中から選択された一種類の液体であり、かつ、前記気体が、窒素、酸素、水素、オゾン、塩素、炭酸ガス、アルゴン、ヘリウムの中から選択された一種類の気体であり、前記急速気体充填装置により前記気体を、前記液体に急速気体充填飽和処理により生成する前記１項に記載の超微細気泡含有液体。
【請求項３】
タンク部と、液体供給配管部と、気体充填回路部と、気液混合液体の取り出し部と、気液混合液体収納容器本体と、制御装置とから構成される前記急速気体充填装置により前記気体を、前記液体に急速気体充填飽和処理により生成する前記１項―前記２項のいずれか１項に記載の超微細気泡含有液体。
【請求項４】
前記気体充填回路部が、前記タンク本体の前記配管接続部材に接続される一方端部の配管部材と、第２の電磁弁と、流入配管と、ポンプと、圧送配管と、超微細気泡ノズルと、気液混合液用配管部材と、第４の電磁弁と、他方端部の気液混合液戻し配管部材とが、この順に液蜜に配管結合されて成ると共に、前記超微細気泡ノズルの気体取入れ口に、気体供給部からの前記気体の供給が気体供給配管部材を介して気蜜に配管結合されて成る前記急速気体充填装置により前記気体を、前記液体に急速気体充填飽和処理により生成する前記１項―前記３項のいずれか１項に記載の超微細気泡含有液体。
【請求項５】
前記タンク本体内に貯水された気液混合水が、繰り返し前記気体充填回路部の前記気体の供給を、受けて、益々充実した気液混合水が作成され、前記気体が圧送水流内に５０μｍ以下の超微細気泡として混合、充填されて、気液混合水が作成され始めてから、経過する時間をカウントし、所要時間（３５分から４０分の間）を経過してから、この繰り返し前記気体充填回路部の前記気体の供給を受ける急速気体充填飽和処理を停止させるように、前記制御装置の制御部に制御されて成る前記急速気体充填装置により前記気体を、前記液体に急速気体充填飽和処理により生成する前記１項―前記４項のいずれか１項に記載の超微細気泡含有液体。
【発明の詳細な説明】
【技術分野】
【０００１】本発明は、マイクロバブルやナノバブルと称される微細気泡を含有する液体を生成する微細気泡含有液体生成装置を用いて生成する微細気泡含有液体に関するものである。
【背景技術】
【０００２】お風呂や洗面所等で使用するシャワーは、お湯や水を出すとき、小さな穴のシャワーヘッドから細いやさしい流れにして、頭や体を洗うことが行われている。泡を使った洗浄は、泡の無いものよりも洗浄効果を高めることができることが知られており、泡を発生するには、お湯だけでなく空気を取り入れなければならない。そして、泡の発生をベンチュリー等の方法で行うことは知られており、管の側面から入れる方法でベンチュリーノズルを有するシャワーが販売されている。旋回孔による旋回流を利用して泡を発生させる方式もシャワーに適用されている。例えば、特許文献１が開示されている。【０００３】また、水生物の輸送・蓄養、又は水道水・河川水・池・湖沼・ダム等の水質の浄化及び水環境の蘇生を行う方法として、従来から微細気泡発生装置によるエアレーションが良く知られている。この微細気泡発生装置としては、前記シャワーで適用されるものと異なる様々な方式が提案されており、例えば、特許文献２には気液旋回流を利用した方式が開示されている。
【先行技術文献】
【特許文献】
【０００４】
【特許文献１】特開２０１７−１３６５１３号公報
【特許文献２】特開２０００−６１４８９号公報
【発明の概要】
【発明が解決しようとする課題】
【０００５】前記特許文献１では、お風呂や洗面所等で使用するシャワーに適した装置であり、前記特許文献２では、池、湖沼、河川等の水域内の水又は汚水を浄化する装置に使用されている装置である。これらの装置は、いずれも水に気体を混合させる装置が基になっている。【０００６】しかし、前記特許文献１−２において、飲食に関係する技術ではない。
その他に、窒素水開発で先行している株式会社昭和プラントの
（ｈｔｔｐ：／／ｗｗｗ．ｓｈｏｗａｒｅｉｔｏｕ．ｊｐ／ｉｍａｇｅｓ／２２７ｐ．ｐｄｆ）の公表資料から、鮮魚のサンマや塩イクラに窒素水を適用すると、鮮度の保持時間が長くなったことが記載されている。そして、株式会社昭和プラントは、窒素ガスをバブリング方式で水にパージする方法で窒素水を製造している。この方式は、通常の大きさの窒素ガス気泡（気泡径が１ｍｍ以上）を水に通気するために、水への窒素供給効率が低い短所がある。そのために、１５℃の常温の水を対象として窒素水を製造するには、９０時間以上もの長時間が必要である。しかも窒素ガスを９０時間以上バブリングしても、前記資料によると、水中の溶存酸素を完全に除去出来ない欠陥がある。
そこで、本発明は、特殊ノズル（超微細気泡ノズル）を備えた急速気体充填装置により生成する超微細気泡含有液体を提供することを目的とする。
【課題を解決するための手段】
【０００７】本発明において、上記目的を達成するための（１）に係る発明は、急速気体充填装置１により気体を、液体に急速気体充填飽和処理により生成する超微細気泡含有液体である。上記目的を達成するための（２）に係る発明は、前記液体が水、超純水、液状食品、工場用水の中から選択された一種類の液体であり、かつ、前記気体が、窒素、酸素、水素、オゾン、塩素、炭酸ガス、アルゴン、ヘリウムの中から選択された一種類の気体であり、前記急速気体充填装置１により前記気体を、前記液体に急速気体充填飽和処理により生成する（１）に記載の超微細気泡含有液体である。上記目的を達成するための（３）に係る発明は、タンク部２と、液体供給配管部９と、気体充填回路部１４と、気液混合液体の取り出し部４１と、気液混合液体収納容器本体４６と、制御装置５５とから構成される前記急速気体充填装置１により前記気体を、前記液体に急速気体充填飽和処理により生成する（１）―（２）のいずれか１項に記載の超微細気泡含有液体である。【０００８】また、上記目的を達成するための（４）に係る発明は、前記気体充填回路部１４が、前記タンク本体３の前記配管接続部材１３に接続される一方端部の配管部材１４ａと、第２の電磁弁１５と、流入配管１６ａと、ポンプ１６と、圧送配管１６ｂと、超微細気泡ノズル１８と、気液混合液用配管部材３５と、第４の電磁弁３６と、他方端部の気液混合液戻し配管部材３７とが、この順に液蜜に配管結合されて成ると共に、前記超微細気泡ノズル１８の気体取入れ口２３に、気体供給部３１からの前記気体３４の供給が気体供給配管部材３１ａを介して気蜜に配管結合されて成る前記急速気体充填装置１により前記気体を、前記液体に急速気体充填飽和処理により生成する（１）―（３）のいずれか１項に記載の超微細気泡含有液体である。【０００９】更に、上記目的を達成するための（５）に係る発明は、前記タンク本体３内に貯水された気液混合水２８が、繰り返し前記気体充填回路部１４の前記気体３４の供給を、受けて、益々充実した気液混合水２８が作成され、前記気体３４が圧送水流１７内に５０μｍ以下の超微細気泡として混合、充填されて、前記気液混合水２８が作成され始めてから、経過する時間をカウントし、所要時間（３５分から４０分の間）を経過してから、この繰り返し前記気体充填回路部１４の前記気体３４の供給を受ける急速気体充填飽和処理を停止させるように、前記制御装置５５の制御部５８（図示せず）に制御されて成る前記急速気体充填装置１により前記気体を、前記液体に急速気体充填飽和処理により生成する（１）―（４）のいずれか１項に記載の超微細気泡含有液体である。
【発明の効果】
【００１０】気体の容器３３に収容されている気体３４は窒素ガスを使用する。窒素ガスは空気を原料として窒素ガスが製造されており、工業的な汎用製造方は「深冷分離法」であり、空気を圧縮、冷却して液化させ、酸素、窒素の沸点差を利用して分離する方法である。冷却して液化させる温度はマイナス２００℃近い極低温であり、空気に含まれていた微生物や微小生物は完全に死滅する。このような製造法により製造された窒素ガスは、有害な微生物や化学物質および浮遊粒子状物質を含まない安全性の高いものである。窒素ガスは、常温常圧で無色無臭の気体で、化学的に不活性であり、支燃性も助燃性もない。そのため、爆発防止用、嫌気性条件や乾燥条件の設定、その他色々の分野で用いられている。上記したように、本発明に係る窒素水の原料として使用する水道水１Ｌと窒素ガスは、人体に無害な安全性の高いものである。勿論、窒素水（２０℃）に含まれる窒素の含有量は２０．０１ｍｇ／Ｌと微量であり、通常の水道水（１５．６１ｍｇ／Ｌ）とほぼ同じレベルであり、そして、窒素水に含まれる窒素は、他の化合物や元素に反応しない安全な物質であるために、通常の水道水と同様に安全、安心して食品等に使用し、飲用することが出来る。【００１１】窒素は無味無臭の気体で、空気中の体積の７８％を占める主要構成成分であり、また、他の化合物や元素と反応しない安定した物質である。このような安定した空気の主要構成成分である窒素を水に供給し、腐敗や劣化の原因となる溶存酸素を除去した水が本発明の窒素水である。通常の水（２０℃）は、空気の構成成分を反映して、窒素と酸素を主要な気体成分として含んでいる。その含有量は、窒素が１５．６１ｍｇ／Ｌおよび酸素が８．８４ｍｇ／Ｌである。一方、本発明の完全に溶存酸素を除去した窒素水（２０℃）の窒素含有量は、２０．０１ｍｇ／Ｌであり、通常の水より若干多くなっている。窒素水と通常の水を比較した場合、窒素含有量の差は４．４ｍｇ／Ｌおよび酸素含有量の差が８．８４ｍｇ／Ｌである。これらの含有量の差を重量パーセント濃度として表示すると、窒素含有量の差が０．０００４４％および酸素含有量の差が０．０００８８４％に過ぎない極微量である。このような窒素と酸素の含有量の極微量の相違を考慮すると、本発明の窒素水と通常の水は、同等な物理的性質（凝固点、融点、沸点、蒸気圧、比重等）を有するものと判断される。【００１２】完全に酸素を含有しない本発明の窒素水で、比較的短期間の被覆や浸漬された場合、好気性細菌は、酸素利用が不可能のために、増殖や生存が抑制（静菌）され、長期間の被覆や浸漬の場合は、生存が困難（死滅、殺菌）になると思量される。【００１３】前記気体を、窒素に関して詳述したが、前記気体が、酸素、水素、オゾン、塩素、炭酸ガス、アルゴン、ヘリウムの中から選択された一種類の気体として、例えば、酸素は、バイオテクノロジーの分野で、バクテリア、酵母などの微生物発酵促進用として酸素が使用されています。酒、味噌、しょうゆをはじめアミノ酸、ビタミンなどの一部では大量培養が実用化されている。【００１４】選択された一種類の気体として、オゾンは、普通の酸素は、２つの酸素原子が集まって、１つの分子になっているがオゾンは、３つの酸素原子で、１つの分子を形づくっているものである
オゾンは、特別の臭いのあるうす青色の気体で、殺菌力や漂白作用（色を白くする作用）が強く、又、酸化されやすいものに接触するとそのものを酸化して、すぐ普通の酸素に戻る性質を持っている。このような性質を利用して空気や飲料水の消毒、油の漂白、酸化剤などとして使われている。【００１５】選択された一種類の気体として、塩素は、黄緑色の気体、刺激臭があり、有毒、空気よりも重い、水に溶けやすく、酸性で、水溶液は漂白作用や殺菌作用があり、水道水の殺菌用途として使用される。選択された一種類の気体として、炭酸ガス（二酸化炭素）は、無色無臭の気体、空気よりも重い、燃えない、水に少し溶ける、二酸化炭素が水に溶けたものを炭酸水という、弱い酸性を呈し、抗菌作用があるために飲用水等に関する用途がある。
【図面の簡単な説明】
【００１６】
【図１】本発明に係る急速気体充填装置１の構成を示す図面である。
【図２】本発明に係る特殊ノズル部１８の一例の縦断面図である。
【図３】本発明に係る気液混合溶液入りの噴霧容器である。
【発明を実施するための形態】
【００１７】以下、実施例を図１〜図３に基づいて説明する。
【実施例】
【００１８】図１を参照して、急速気体充填装置１は、タンク部２と、液体供給配管部９と、気体充填回路部１４と、気液混合液体の取り出し部４１と、気液混合液体収納容器本体４６と、制御装置５５とから構成される。【００１９】更に、詳述すると、前記タンク部２は、タンク本体３とタンク蓋部４とからなる。前記タンク本体３は、配管接続部材８と、配管接続部材１３と、配管接続部材３８と、配管接続部材４０とが設けられている。そして、前記配管接続部材８には前記液体供給配管部９の液体配管部材９ａが接続され、前記配管接続部材１３には前記気体充填回路部１４の一方端部の配管部材１４ａが接続され，前記配管接続部材３８には前記気体充填回路部１４の他方端部の気液混合液戻し配管部材３７が接続され、前記配管接続部材４０には前記気液混合液体の取り出し部４１の気液混合液体の取り出し配管部材４１ａが液蜜的に接続されている。【００２０】前記液体供給配管部９は、前記液体配管部材９ａに第１の電磁弁１０を介して、地方自治体の管理する飲料用水道配管の弁（図示せず）に接続され、前記飲料用水道配管の弁のハンドル（図示せず）操作と、制御装置５５に制御される前記第１の電磁弁１０の開閉動作により、前記タンク本体３内に、水道水１Ｌを導入供給し、貯水することが可能である。この水道水１Ｌは、厚生労働省令（平成１５年５月３０日厚生労働省令第１０１号）により定められている「水道水質基準」に適合すべきものでなければならず、また水道法により前記水道水１Ｌがこの「水道水質基準」に適合しているか否かの検査の義務が地方自治体に課せられており、「水道水質基準」に適合する水道水１Ｌを供給することが義務づけられており、安全性が保障されたものである。【００２１】そして、前記気体充填回路部１４は、前記タンク本体３の前記配管接続部材１３に接続される前記一方端部の配管部材１４ａと、第２の電磁弁１５と、流入配管１６ａと、ポンプ１６と、圧送配管１６ｂと、特殊ノズル（超微細気泡ノズル）１８と、気液混合液用配管部材３５と、第４の電磁弁３６と、前記他方端部の気液混合液戻し配管部材３７とが、この順に液蜜に配管結合されて成ると共に、前記特殊ノズル（超微細気泡ノズル）１８の気体取入れ口２３に、気体供給部３１からの気体（窒素ガス）３４の供給が気体供給部３１の気体供給配管部材３１ａを介して気密に配管結合されて成る前記急速気体充填装置１を用いて、超微細気泡含有液体である窒素水が生成される。【００２２】図１と図２を参照して、前記特殊ノズル（超微細気泡ノズル）の一例１８と前記気体供給部３１について詳述する。
先ずは、前記特殊ノズル（超微細気泡ノズル）の一例１８について説明する。外観すると長手方向の一方端にノズル入り口２０が形成され、それに続いてノズルボディ１９が形成され、それに続いて他方端にノズル出口２７が形成されている。更に、詳述すると、長手方向の一方端部に形成されるノズル入り口２０の内部において、徐々に細くなる円錐形の流入路２０ａに続いて、前記ノズルボディ１９内に延在する、一定の直径の断面円形の管内流路２１が形成され、更に続いて、徐々に拡大する円錐形の流出路２７ａが、他方端部の内部に形成されてなるノズル出口２７に繋がっている。前述した通り前記ノズル入り口２０と前記ノズル出口２７との間に、前記ノズルボディ１９が形成され、このノズルボディ１９の側面に気体取入れ口２３が設けられ、更に、前記ノズルボディ１９内にて、前記気体取入れ口２３に続いて、上下対向するように４組の気体分岐通路２４が分岐配置され、この４組の気体分岐通路２４の各先端部の気体流出口２５が、前記一定の直径の断面円形の管内流路２１内に夫々突出して形成されている。【００２３】次に、前記気体供給部３１について説明する。前記気体供給部３１は、前記特殊ノズル（超微細気泡ノズル）の一例１８の前記気体取入れ口２３に接続される気体供給配管部材３１ａと、第３の電磁弁３２と、気体容器への配管部材３３ｂと、流量調整弁３３ａと、気体の容器３３とが気密的に接続されて形成されている。ここで、気体の容器３３に収容されている気体３４は、窒素、酸素、水素、オゾン、塩素、炭酸ガス、アルゴン、ヘリウムの中から選択された一種類の気体であり、ここでは窒素ガスを使用する。窒素ガスは空気を原料として製造されており、工業的な汎用製造方は「深冷分離法」であり、空気を圧縮、冷却して液化させ、酸素、窒素の沸点差を利用して分離する方法である。冷却して液化させる温度はマイナス２００℃近い極低温であり、空気に含まれていた微生物や微小生物は完全に死滅する。このような製造法により製造された窒素ガスは、有害な微生物や化学物質および浮遊粒子状物質を含まない安全性の高いものである。窒素ガスは、常温常圧で無色無臭の気体で、化学的に不活性であり、支燃性も助燃性もない。そのため、爆発防止用、嫌気性条件や乾燥条件の設定、その他色々の分野で用いられている。上記したように、本発明に係る超微細気泡含有液体としての窒素水の原料として使用する水道水１Ｌと窒素ガスは、人体に無害な安全性の高いものである。勿論、窒素水（２０℃）に含まれる窒素の含有量は２０．０１ｍｇ／Ｌと微量であり、通常の水道水（１５．６１ｍｇ／Ｌ）とほぼ同じレベルであり、そして、窒素水に含まれる窒素は、他の化合物や元素に反応しない安全な物質であるために、通常の水道水と同様に安全、安心して食品等に使用し、飲用することが出来る。【００２４】そして、前記タンク蓋部４は、中央部にクレーン用のアイボルト５を設け、その脇きに通気孔６と液面計７を設け、前記タンク本体３と前記タンク蓋部４との接合部にはガスケット４ａが設けられており、前記タンク本体３内への異物の侵入を防止している。そして、前記タンク部２に、前記タンク蓋部４を固定するための固定部材３ａ（図示せず）を設けて、前記タンク部２と前記タンク蓋部４とは、固着される。【００２５】前記特殊ノズル（超微細気泡ノズル）の一例１８の作用は、前記制御装置５５の制御により、前記第２の電磁弁１５と、前記第第４の電磁弁とが開となり前記ポンプ１６が駆動され、前記タンク本体３内の液体（水）を圧送水流１７として前記ポンプ１６からノズル入り口２０の内部の徐々に細くなる円錐形の流入路２０ａ内に圧送し、更に、圧送水流１７は前記一定の直径の断面円形の管内流路２１内を圧送水の流れ方向１７ａの方向に流れると共に、対向して配設された４組の気体流出口２５から、流量調整弁３３ａと第３の電磁弁とが開となっている前記気体の容器３３内の気体３４が、前記管内流路２１内に吸引されて、圧送水流１７内に５０μｍ以下の超微細気泡として混合、充填されて、気液混合水２８が作成され、この気液混合水２８は、徐々に拡大する円錐形の流出通路２７ａを内部に有する、長手方向の他方端部のノズル出口２７を経由して前記特殊ノズル（超微細気泡ノズル）１８から流出し、更に、気液混合液用配管部材３５と、第４の電磁弁３６と、前記他方端部の気液混合液戻し配管部材３７とを経由して、再度前記タンク本体３内に気液混合水２８として貯水される。【００２６】この様に前記タンク本体３内に貯水された気液混合水２８が、繰り返し前記気体充填回路部１４の作用（気体（窒素ガス）３４の供給）を、受けて、益々充実した気液混合水２８が作成される。そして、前記気体（窒素ガス）３４が前記圧送水流１７内に５０μｍ以下の超微細気泡として混合、充填されて、気液混合水２８が作成され始めてから、経過する時間をカウントし、所要時間（３５分から４０分の間）経過してから、この繰り返し前記気体充填回路部１４の作用（気体（窒素ガス）３４の供給）を受ける処理（急速気体充填飽和処理）を停止させるように、制御装置５５の制御部５８（図示せず）に制御されていて、急速気体充填装置１を用いて生成される超微細気泡含有液体である窒素水である。【００２７】ところで、前記気液混合液体の取り出し部４１は、前記タンク本体３の前記配管接続部材４０に接続される前記気液混合液体の取り出し部配管部材４１ａと、第５の電磁弁４２とが液蜜的に接続されて構成される。そして、前記制御部５５の前記制御部５８（図示せず）に制御されて、処理を停止されてから前記気液混合液体の取り出し部４１により、取り出された気液混合液体４３として気液混合液体収納容器本体４６に収容される。【００２８】前記制御部５５は、電源装置部５６（図示せず）と、ポンプ駆動回路部６０（図示せず）と、液面計７からのデータ処理回路部（図示せず）と、電磁弁駆動回路部６４（図示せず）と、タンク本体３内部の液体の体積の表示や各種データの表示等の表示部６６（図示せず）と、ブザーや赤色ランプの点滅等の警報手段６８（図示せず）と、各種スイッチ等による操作盤部７０（図示せず）とを含んでおり、各部は電気的に接続されていて制御部５８（図示せず）に制御されている。
【実施例２】
【００２９】図１と図３を参照して、前述と重複するが、前記タンク本体３内に貯水された気液混合水２８が、繰り返し前記気体充填回路部１４の作用を、受けて、益々充実した気液混合水２８が作成される。そして、前記気体３４が前記圧送水流１７内に５０μｍ以下の超微細気泡として混合、充填されて、気液混合水２８が作成され始めてから、経過する時間をカウントし、所要時間（例えば、所要時間３５分から４０分の間）経過してから、この繰り返し前記気体充填回路部１４の作用を受ける処理を停止させるように、制御装置５５の制御部５８（図示せず）に制御されて、処理を停止されてから前記気液混合液体の取り出し部４１により、取り出された気液混合液体４３として気液混合液体収納容器本体４６に収容される。【００３０】取り出された前記気液混合液体４３が、前記気液混合液体収納容器本体４６に所定量（例えば、３５０ｍＬ）収容されてから、前記気液混合液体収納容器本体４６に、噴霧装置部４７を固定ナット部４９により取り付けて、気液混合液体入りの噴霧容器４５が構成される。ここで、前記噴霧装置部４７は、噴霧部本体４８と、前記噴霧部本体４８を、前記気液混合液体収納容器本体４６の上方部位にある雄ねじ部（図示せず）に螺着して固定する固定ナット部４９と、先端部に噴霧口５１を有するノズル部５０と、引き金部５２とを備えている。
そして、前記気液混合液体入りの噴霧容器４５を、前記固定ナット部４９と、前記気液混合液体収納容器本体４６との部位を手に掴んで、前記ノズル部５０の先端部の噴霧口５１を、気液混合水から成る噴霧水５３を吹き付ける的に狙いを定めて、人差し指にて前記引き金部５２を引くことにより前記の的に前記気液混合水から成る噴霧水５３を吹き付けることが可能である。【００３１】ここで、前記気体の容器３３の気体３４が、窒素であるとすると、５０μｍ以下の超微細気泡の窒素が混合、充填された窒素水が、前記の的に吹き付けられることになる。【００３２】飲料水や液体食品等に供給する気体としては、窒素の他に、酸素、アルゴン、ヘリウム、炭酸ガス、オゾン、水素等気体であれば総て可能である。【００３３】本発明で対象とする飲料水とは水道水、ミネラルウオータ、サイダー、ジュース等の水様状の飲用水を指し、液体食品とは醤油、豆乳、ケチャップ、ソース等の液状をしている食品を指す。
以上、本発明の実施形態を説明したが、これに限定されるものではなく、本発明の要旨を逸脱することなく、その他種々の構成を取り得ることは勿論である。
【符号の説明】
【００３４】１・・・急速気体充填装置、
２・・・タンク部、
３・・・タンク本体、
９・・・液体供給配管部、９ａ・・・液体配管部材、
１Ｌ・・・水道水、
１０・・・第１の電磁弁、
１３・・・配管接続部材、
１４・・・気体充填回路部、
１４ａ・・・気体充填用液取り出し配管部材、
１５・・・第２の電磁弁、
１６・・・ポンプ、１６ａ・・・流入配管、１６ｂ・・・圧送配管、
１８・・・特殊ノズル（超微細気泡ノズル）、
２３・・・気体取入れ口
２８・・・気液混合水、
３１・・・気体供給部、３１ａ・・・気体供給配管部材、
３２・・・第３の電磁弁、
３４・・・気体、
３５・・・気液混合液用配管部材、
３６・・・第４の電磁弁
３７・・・気液混合液戻し配管部材、
３８・・・配管接続部材、
４１・・・気液混合液体の取り出し部、
４３・・・取り出された気液混合液体、
４５・・・気液混合液体入りの噴霧容器、
４６・・・気液混合液体収納容器本体、
５５・・・制御装置、
５８・・・制御部、
【図１】
2019072707.tif 000003
【図２】
2019072707.tif 000004
【図３】
2019072707.tif 000005